(57)【要約】【課題】  例えば多層型の情報記録媒体における各記録層において、効率的に情報を記録し、記録時間を短縮する。【解決手段】  複数の記録層を有する情報記録媒体に対して、記録情報を記録するための情報記録装置であって、記録情報を複数の記録層に書込可能な書込手段と、複数の記録層のうち一の記録層に記録された記録情報の終端に第１境界情報、又は、第１境界情報よりも小さな記録容量からなる第２境界情報（１０７ａ−０）を書き込むように書込手段を制御する制御手段と、一の記録層におけるデータエリアの空き容量を検出する検出手段とを備えており、制御手段は、空き容量が第１閾値以上である場合、第１境界情報を終端に書き込むように書込手段を制御し、検出された空き容量が第１閾値未満である場合、第２境界情報を終端に書き込むように書込手段を制御する。【選択図】  図８
2006244680.tif 000002
【特許請求の範囲】
【請求項１】
複数の記録層を有する情報記録媒体に対して、記録情報を記録するための情報記録装置であって、
前記記録情報を前記複数の記録層に書込可能な書込手段と、
前記複数の記録層のうち一の記録層に記録された前記記録情報の終端に第１境界情報、又は、前記第１境界情報よりも小さな記録容量からなる第２境界情報を書き込むように前記書込手段を制御する制御手段と、
前記一の記録層におけるデータエリアの空き容量を検出する検出手段と
を備えており、
前記制御手段は、前記検出された空き容量が第１閾値以上である場合、前記第１境界情報を前記終端に書き込むように前記書込手段を制御し、前記検出された空き容量が前記第１閾値未満である場合、前記第２境界情報を前記終端に書き込むように前記書込手段を制御することを特徴とする情報記録装置。
【請求項２】
前記第１閾値は、前記第１境界情報の記録容量と等しいことを特徴とする請求項１に記載の情報記録装置。
【請求項３】
前記制御手段は、前記検出された空き容量が、前記第１閾値よりも小さな第２閾値未満である場合、前記第１境界情報を前記一の記録層におけるデータエリアの空き領域と、前記複数の記録層のうち他の記録層におけるデータエリアとに跨って書き込むように前記書込手段を制御することを特徴とする請求項１に記載の情報記録装置。
【請求項４】
前記第２閾値は、前記第２境界情報の記録容量と等しいことを特徴とする請求項３に記載の情報記録装置。
【請求項５】
前記制御手段は、前記検出された空き容量が前記第２閾値未満である場合、前記第２境界情報を前記一の記録層におけるデータエリアの空き領域と、当該データエリアの外周側に形成される緩衝用エリアとに跨って書き込むように前記書込手段を制御することを特徴とする請求項１に記載の情報記録装置。
【請求項６】
前記制御手段は、前記検出された空き容量が、前記第２閾値よりも小さな第３閾値未満である場合、前記第１境界情報を前記空き領域と、前記他の記録層におけるデータエリアとに跨って書き込むように前記書込手段を制御することを特徴とする請求項５に記載の情報記録装置。
【請求項７】
前記第３閾値は、前記第２境界情報の先頭に配置された記録管理用データの記録容量と等しいことを特徴とする請求項６に記載の情報記録装置。
【請求項８】
前記第２境界情報は、前記第1境界情報に含まれるストップブロックを除いて構成されていることを特徴とする請求項１に記載の情報記録装置。
【請求項９】
複数の記録層を有する情報記録媒体に対して、記録情報を前記複数の記録層に書込可能な書込手段を備えた情報記録装置における情報記録方法であって、
前記複数の記録層のうち一の記録層に記録された前記記録情報の終端に第１境界情報、又は、前記第１境界情報よりも小さな記録容量からなる第２境界情報を書き込むように前記書込手段を制御する制御工程と、
前記一の記録層におけるデータエリアの空き容量を検出する検出工程と
を備えており、
前記制御工程は、前記検出された空き容量が第１閾値以上である場合、前記第１境界情報を前記終端に書き込むように前記書込手段を制御し、前記検出された空き容量が前記第１閾値未満である場合、前記第２境界情報を前記終端に書き込むように前記書込手段を制御することを特徴とする情報記録方法。
【請求項１０】
請求項１に記載の情報記録装置に備えられたコンピュータを制御する記録制御用のコンピュータプログラムであって、該コンピュータを、前記制御手段、前記検出手段及び前記書込手段の少なくとも一部として機能させることを特徴とする記録制御用のコンピュータプログラム。
【発明の詳細な説明】
【技術分野】
【０００１】
本発明は、例えばＤＶＤレコーダ等の情報記録装置及び方法の技術分野に関する。
【背景技術】
【０００２】
例えば、ＣＤ、ＤＶＤ等の情報記録媒体では、特許文献１、２等に記載されているように、同一基板上に複数の記録層が積層、或いは貼り合わされてなる多層型若しくはデュアルレイヤ型の光ディスク等の情報記録媒体も開発されている。そして、このようなデュアルレイヤ型、即ち、二層型の光ディスクを記録する、ＤＶＤレコーダ等の情報記録装置では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。
【０００３】
他方、これらＬ０層及びＬ１層に対して「オポジット方式」又は「パラレル方式」によって記録又は再生を行う技術も開示されている。ここに、「オポジット方式」とは、例えば二つの記録層の間でトラックパスの方向が逆向きである記録又は再生方式である。これに対し、「パラレル方式」とは、例えば二つの記録層の間でトラックパスの方向が同一である記録又は再生方式である。
【０００４】
或いは、例えば、ＤＶＤ−Ｒ又はＤＶＤ−ＲＷ等の光ディスクにおいては、所謂、ボーダーゾーンが定義されている。ここに、ボーダーゾーンとは、データ等の情報が記録された領域の直後に未記録領域が隣接するのを防ぐために緩衝用エリアである。より詳細には、仮に、この未記録領域がＤＶＤ−Ｒの光ディスクにおいて存在すると、プッシュプル法が採用されているＤＶＤ−Ｒドライブに対して、位相差法が採用されているＤＶＤ−ＲＯＭ再生専用ドライブの光ピックアップによって、トラッキングサーボの制御が殆ど又は完全に不可能となる。
【０００５】
このボーダーゾーンの記録を一般にボーダークローズ処理と呼んでいる。
【０００６】
このボーダークロ−ズ処理によって、ＤＶＤ−Ｒの光ディスクをＤＶＤ−ＲＯＭ再生専用ドライブで読み込み可能なように構成することが可能となる。また、ＣＤ−Ｒ等におけるマルチセッションと同じように、例えば、ＤＶＤ−Ｒの光ディスクにおいて追記等の記録動作を複数回行えると共に、毎回リードイン、リードアウトを記録するマルチセッション方式と比較して無駄な緩衝用エリアを小さくできる、所謂、マルチボーダー機能を実現することができる。このマルチボーダー機能によって、ＤＶＤ−ＲＯＭ再生専用ドライブは、ＤＶＤ−ＲＯＭ再生専用ドライブでの再生互換性が保持されたＤＶＤ−Ｒの光ディスクを読み込むことができる。
【０００７】
【特許文献１】特開２０００−３１１３４６号公報
【特許文献２】特開２００１−２３２３７号公報
【特許文献３】特開平９−１６９６６号公報
【発明の開示】
【発明が解決しようとする課題】
【０００８】
しかしながら、ボーダーゾーンがＬ０層及びＬ１層を跨って記録される場合、例えばオポジット方式の場合、Ｌ１層にミドルエリアが既に緩衝用エリアとして配置されているため、本来の緩衝用エリアの役目を果たすボーダーゾーンは、Ｌ１層では不必要となってしまう。
【０００９】
一方、パラレル方式の場合も、Ｌ１層にリードインエリアが既に緩衝用エリアとして配置されているため、本来の緩衝用エリアの役目を果たすボーダーゾーンは、Ｌ１層では不必要となってしまう。
【００１０】
このように、ボーダーゾーンがＬ０層及びＬ１層を跨って記録される場合、Ｌ１層におけるボーダーゾーンは、冗長的な緩衝用エリアとして機能し、不必要である。それにも関わらず光ディスクの記録容量を浪費し、さらにボーダークローズ処理にかかる時間を長くさせてしまうという技術的な問題点がある。
【００１１】
そこで本発明は、例えば上記問題点に鑑みなされたものであり、例えば多層型の情報記録媒体における各記録層において、効率的に情報を記録することが可能であると共に、記録時間を短縮させることが可能である情報記録装置及び方法を提供することを課題とする。
【課題を解決するための手段】
【００１２】
（情報記録装置）
以下、本発明の情報記録装置について説明する。
【００１３】
本発明の情報記録装置は上記課題を解決するために、複数の記録層を有する情報記録媒体に対して、記録情報を記録するための情報記録装置であって、前記記録情報を前記複数の記録層に書込可能な書込手段と、前記複数の記録層のうち一の記録層に記録された前記記録情報の終端に第１境界情報、又は、前記第１境界情報よりも小さな記録容量からなる第２境界情報を書き込むように前記書込手段を制御する制御手段と、前記一の記録層におけるデータエリアの空き容量を検出する検出手段とを備えており、前記制御手段は、前記検出された空き容量が第１閾値（「２９３８」ＥＣＣブロック）以上である場合、前記第１境界情報（通常のボーダーアウト）を前記終端に書き込むように前記書込手段を制御し、前記検出された空き容量が前記第１閾値未満である場合、前記第２境界情報（層間ボーダーアウト）を前記終端に書き込むように前記書込手段を制御する。
【００１４】
本発明の情報記録装置によれば、対象となる情報記録媒体は、例えば、ディスク状の基板上に少なくとも一の記録層（例えば、Ｌ０層）及び他の記録層（例えば、Ｌ１層）等の複数の記録層が積層されてなる。と共に、当該情報記録媒体は、例えば、一の記録層から他の記録層への記録又は再生位置の層間ジャンプを行うための、例えば、ミドルエリア、又はリードインエリア等の緩衝用エリアを一及び他の記録層の所定部分に有する。
【００１５】
以上のように構成されているため当該情報記録媒体への記録時には、例えば、光ピックアップ等の書込手段によって、記録すべき複数の記録情報を、基板の内周側及び外周側のうち一方側から他方側へ向かう記録方向で一の記録層に順番に、例えば、追記等の記録動作が行われ、続いて緩衝用エリアで層間ジャンプが行なわれると共に、例えば、オポジット方式では、記録方向を折り返して、又は、例えば、パラレル方式では、記録方向を揃えて他の記録層に順番に、記録動作が行われる。
【００１６】
ＣＰＵ等の制御手段は、記録情報を一及び他の記録層に順番に記録するように書込手段を制御すると共に、ボーダークローズ処理においては、一の記録層に記録された記録情報の終端を示す位置から、境界情報を書き込むように書込手段を制御する。ここに、「境界情報」とは、例えば、記録すべき複数の記録情報の書き込みが終了する毎に、複数の記録情報間の境界である旨を示した、所謂、ボーダーアウトの情報である。
【００１７】
次に、ＣＰＵ等の検出手段は、例えば、ボーダーアウト等の境界情報が一の記録層及び他の記録層を跨って記録される場合、一の記録層に記録された記録情報を書き込んだ状態で、一の記録層に残された緩衝用エリアを除く書き込み可能な空き容量を検出する。
【００１８】
次に、ＣＰＵ等の制御手段は、この空き容量が、予め設定された第１閾値以上であるか否かを判定してもよい。ここに、本発明に係る「第１閾値」とは、「通常のボーダーアウト」の記録容量である。この「通常のボーダーアウト」の記録容量は、記録される開始位置によって異なると共に、１番最初に記録される場合には、半径方向に相対的に長いボーダーアウトが記録される。他方、２番目以降に記録される場合には、半径方向に相対的に短いボーダーアウトが記録される。具体的には、例えば、光ディスクの記録領域の外周側における１番最初のボーダークローズ処理においては、通常のボーダーアウトの記録容量は、「２９３８」ＥＣＣブロックであり、２番目以降のボーダークローズ処理においては、「６０２」ＥＣＣブロックである。より具体的には、光ディスクの記録領域の外周側の通常のボーダークローズ処理において、１番最初に記録されるボーダーゾーン（即ち、ボーダーアウト及びボーダーインが記録される領域）の記録容量は、該ボーダーゾーンの半径方向の長さを、約０．５ｍｍとするために、「２９４４」ＥＣＣブロックと規定されているので、ここからボーダーインの記録容量「５」ＥＣＣブロック及びリンキングサイズが２ＫＢの場合の余裕の記録容量「１」ＥＣＣブロックを差し引くと、２９４４−５−１＝「２９３８」ＥＣＣブロックとなる。他方、２番目以降に記録されるボーダーゾーンの記録容量は、該ボーダーゾーンの半径方向の長さを、約０．１ｍｍとするために、「６０８」ＥＣＣブロックと規定されているので、同様に計算して、６０８−５−１＝「６０２」ＥＣＣブロックとなる。
【００１９】
次に、ＣＰＵ等の制御手段は、この空き容量が、第１閾値以上であると判定された場合、情報記録媒体の記録時又は再生時における記録又は再生位置を境界で停止させるための緩衝用データを含むと共に、例えば、第１閾値以下の記録容量を有する第１境界情報を境界情報として書き込むように書込手段を制御する。ここに、本発明に係る「第１境界情報」とは、前述した「通常のボーダーアウト」として記録される境界情報である。より具体的には、第１境界情報は、最新のＲＭＤ（Recording Management Data）等の記録管理用のデータ、光ピックアップの暴走を防止するためのストップブロック、該第１境界情報の次に記録情報が記録されているか否かを示すマーカー情報、及び、緩衝用データを備えて構成されている情報である。第１境界情報の記録容量は、例えば、前述した通常のボーダーアウトの記録容量と同じであり、「２９３８」又は「６０２」ＥＣＣブロックである。
【００２０】
他方、例えば、ＣＰＵ等の制御手段は、この空き容量が、第１閾値未満であると判定された場合、第１境界情報と比べて少ない緩衝用データを含む第２境界情報を境界情報として書き込むように書込手段を制御する。ここに、本発明に係る「第２境界情報」とは、境界情報が一の記録層及び他の記録層を跨って記録される場合に、一の記録層において、例えば、ミドルエリア又はリードインエリア等の緩衝用エリアの開始位置まで、又は、緩衝用エリアの中へ食み出して記録される境界情報である。より具体的には、第２境界情報は、前述した最新のＲＭＤ等の記録管理用のデータ、該第２境界情報の次に記録情報が記録されているか否かを示すマーカー情報、及び、緩衝用データを備えて構成されている情報である。第２境界情報の記録容量は、可変であり、例えば、最小値を、「４３」ＥＣＣブロックとし、最大値を、光ディスクの記録領域の外周側における通常のボーダーアウトの記録容量より「１」ＥＣＣブロックだけ少ない「２９３７」ＥＣＣブロックとすることが可能である。以下、本願では適宜、この第２境界情報を「層間ボーダーアウト」とも称す。
【００２１】
以上より、本発明によれば、例えば、ボーダーアウト等の境界情報が一の記録層及び他の記録層を跨って記録される場合、他の記録層におけるボーダーアウト等の境界情報が、ミドルエリアやリードイエリア等の本来の緩衝用エリアに加えて、冗長的な緩衝用エリアとして機能するのを効率的に又は完全に防止することが可能となる。仮に、ボーダーアウト等の境界情報が一の記録層及び他の記録層を跨って記録される場合、他の記録層におけるボーダーアウトは、冗長的な緩衝用エリアとして機能し、不必要となってしまう。それにも関わらず光ディスクの記録容量を浪費し、さらにボーダークローズ処理にかかる時間を長くさせてしまうのである。これに対して、本発明によれば、通常のボーダーアウト等の第1境界情報と比べて小さな記録容量の層間ボーダーアウト等の第２境界情報を一の記録層に記録し、他の記録層にはボーダーアウト等の境界情報が記録されるのを効率的に又は完全に防止することで、他の記録層におけるボーダーアウト等の境界情報が、冗長的な緩衝用エリアとして機能するのを効率的に又は完全に防止することが可能となる。よって、光ディスクの記録容量の浪費を防止することができると共に、ボーダークローズ処理にかかる時間の大幅な短縮が可能となる。
【００２２】
本発明の情報記録装置の一態様では、前記第１閾値は、前記第１境界情報の記録容量と等しい。
【００２３】
この態様によれば、制御手段の制御下で、空き容量と第１閾値とを的確且つ迅速に比較することが可能となる。
【００２４】
本発明の情報記録装置の他の態様では、前記制御手段は、前記検出された空き容量が、前記第１閾値よりも小さな第２閾値未満（「４３」ＥＣＣブロック）である場合、前記第１境界情報を前記一の記録層におけるデータエリアの空き領域と、前記複数の記録層のうち他の記録層におけるデータエリアとに跨って書き込むように前記書込手段を制御する。
【００２５】
この態様によれば、ＣＰＵ等の制御手段の制御下で、空き容量が前述した第１閾値よりも小さな第２閾値未満であると判定された場合、書込手段によって第１境界情報が一の記録層におけるデータエリアの空き領域と、他の記録層におけるデータエリアとに跨って書き込まれる。ここに本発明に係る「第２閾値」とは、第２境界情報の記録容量以上の値に設定された、第２境界情報の記録容量の最小値である。具体的には、「４３」ＥＣＣブロックである。より具体的には、第２境界情報の記録容量の最小値は、最新のＲＭＤ等の記録管理用のデータの記録容量（「５」ＥＣＣブロック）、該第２境界情報の次に記録情報が記録されているか否かを示すマーカー情報（３×「２」ＥＣＣブロック）の記録容量、及び、緩衝用データ（４×「８」ＥＣＣブロック）の記録容量の合計である。
【００２６】
以上より、例えば、一の記録層における、ミドルエリア又はリードインエリア等の緩衝用エリア内に、層間ボーダーアウト等の第２境界情報は記録されることはなく、緩衝用エリアのデータ構造は変更されないので、既存の情報記録再生装置における再生動作を安定させることができる。
【００２７】
この態様では、前記第２閾値は、前記第２境界情報の記録容量と等しくなるように構成してもよい。
【００２８】
このように構成すれば、制御手段の制御下で、空き容量と第２閾値とをより的確且つ迅速に比較することが可能となると共に、より高精度の制御を実現可能となる。
【００２９】
本発明の情報記録装置の他の態様では、前記制御手段は、前記検出された空き容量が前記第２閾値（「４３」ＥＣＣブロック）未満である場合、前記第２境界情報を前記一の記録層におけるデータエリアの空き領域と、当該データエリアの外周側に形成される緩衝用エリアとに跨って書き込むように前記書込手段を制御する。
【００３０】
この態様によれば、例えば、層間ボーダーアウト等の第２境界情報のうち少なくとも最新のＲＭＤ等の記録管理用のデータ（「５」ＥＣＣブロックの記録容量）は、一の記録層のデータエリア内に記録され、例えば、ネクストボーダーマーカー及び緩衝用データ等の食み出し部分（最大「３８」ＥＣＣブロックの記録容量）は、一の記録層のデータエリアの外周側に形成されるミドルエリア又はリードアウトエリア等の緩衝用エリアに記録されることが可能となる。
【００３１】
従って、他の記録層におけるボーダーアウト等の境界情報が、冗長的な緩衝用エリアとして機能するのをより効率的に又は完全に防止することが可能となる。
【００３２】
また、少なくとも最新のＲＭＤ等の記録管理用のデータが、一の記録層のデータエリア内に記録されることで、情報記録装置によって光ディスクに記録された情報の信頼性を向上させるという利点がある。
【００３３】
加えて、一の記録層における、ミドルエリア又はリードインエリア等の緩衝用エリア内に、層間ボーダーアウト等の第２境界情報は記録される可能性を最小限にすることによって、緩衝用エリアのデータ構造の変更を最小限に抑制することができるので、既存の情報記録再生装置における再生動作を安定させることが可能となる。
【００３４】
この態様では、前記制御手段は、前記検出された空き容量が、前記第２閾値よりも小さな第３閾値未満である場合、前記第１境界情報を前記空き領域と、前記他の記録層におけるデータエリアとに跨って書き込むように前記書込手段を制御するように構成してもよい。
【００３５】
このように構成すれば、ＣＰＵ等の制御手段の制御下で、空き容量が前述した第２閾値よりも小さな第３閾値未満であると判定された場合、書込手段によって第１境界情報が一の記録層におけるデータエリアの空き領域と、他の記録層におけるデータエリアとに跨って書き込まれる。ここに本発明に係る「第３閾値」とは、前述した第２境界情報の１つの構成要素である最新のＲＭＤ等の記録管理用のデータの記録容量（「５」ＥＣＣブロック）である。
【００３６】
以上より、例えば、一の記録層における、ミドルエリア又はリードインエリア等の緩衝用エリア内に、層間ボーダーアウト等の第２境界情報は記録されることはなく、緩衝用エリアのデータ構造は変更されないので、既存の情報記録再生装置における再生動作を安定させることができる。
【００３７】
更に、この態様では、前記第３閾値は、前記第２境界情報の先頭に配置された記録管理用データの記録容量と等しくなるように構成してもよい。
【００３８】
このように構成すれば、制御手段の制御下で、空き容量と第３閾値とをより的確且つ迅速に比較することが可能となると共に、より高精度の制御を実現可能となる。
【００３９】
本発明の情報記録装置の他の態様では、前記第２境界情報は、前記第1境界情報に含まれるストップブロックを除いて構成されている。
【００４０】
この態様によれば、第２境界情報の記録容量を、ストップブロックの記録容量（「２×２＝４」ＥＣＣブロック）だけ小さくすることが可能となり、他の記録層におけるボーダーアウト等の境界情報が、冗長的な緩衝用エリアとして機能するのを、より効率的に又は完全に防止することが可能となる。
【００４１】
（情報記録方法）
以下、本発明の情報記録方法について説明する。
【００４２】
本発明の情報記録方法は上記課題を解決するために、複数の記録層を有する情報記録媒体に対して、記録情報を前記複数の記録層に書込可能な書込手段を備えた情報記録装置における情報記録方法であって、前記複数の記録層のうち一の記録層に記録された前記記録情報の終端に第１境界情報、又は、前記第１境界情報よりも小さな記録容量からなる第２境界情報を書き込むように前記書込手段を制御する制御工程と、前記一の記録層におけるデータエリアの空き容量を検出する検出工程とを備えており、前記制御工程は、前記検出された空き容量が第１閾値（「２９３８」ＥＣＣブロック）以上である場合、前記第１境界情報（通常のボーダーアウト）を前記終端に書き込むように前記書込手段を制御し、前記検出された空き容量が前記第１閾値未満である場合、前記第２境界情報（層間ボーダーアウト）を前記終端に書き込むように前記書込手段を制御する。
【００４３】
本発明の情報記録方法によれば、上述した本発明の情報記録装置の場合と同様に、制御工程の制御下で、検出工程の結果によって、書込手段が、通常のボーダーアウト等の第1境界情報と比べて小さな記録容量の層間ボーダーアウト等の第２境界情報を一の記録層に記録し、他の記録層にはボーダーアウト等の境界情報が記録されるのを効率的に又は完全に防止することで、他の記録層におけるボーダーアウト等の境界情報が、冗長的な緩衝用エリアとして機能するのを効率的に又は完全に防止することが可能となる。よって、光ディスクの記録容量の浪費を防止することができると共に、ボーダークローズ処理にかかる時間の大幅な短縮が可能となる。
【００４４】
尚、上述した本発明の情報記録装置における各種態様に対応して、本発明に係る情報記録方法も各種態様を採ることが可能である。
【００４５】
（コンピュータプログラム）
以下、本発明のコンピュータプログラムについて説明する。
【００４６】
本発明のコンピュータプログラムは上記課題を解決するために、上述した本発明の情報記録装置（但し、その各種態様を含む）に備えられたコンピュータを制御する記録制御用のコンピュータプログラムであって、該コンピュータを、前記制御手段、前記検出手段及び前記書込手段の少なくとも一部として機能させる。
【００４７】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の情報記録装置を比較的簡単に実現できる。
【００４８】
尚、上述した本発明の情報記録装置における各種態様に対応して、本発明のコンピュータプログラムも各種態様を採ることが可能である。
【００４９】
コンピュータ読取可能な媒体内のコンピュータプログラム製品は上記課題を解決するために、本発明の情報記録装置（但し、その各種態様を含む）に備えられたコンピュータにより実行可能なプログラム命令を明白に具現化し、該コンピュータを、前記制御手段、前記検出手段及び前記書込手段の少なくとも一部として機能させる。
【００５０】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記制御手段、前記検出手段及び前記書込手段の少なくとも一部を比較的容易に実施可能となる。更に具体的には、当該コンピュータプログラム製品は、上述した前記制御手段、前記検出手段及び前記書込手段の少なくとも一部として機能させるコンピュータ読取可能なコード（或いはコンピュータ読取可能な命令）から構成されてよい。
【００５１】
本発明のこのような作用及び他の利得は次に説明する実施例から明らかにされる。
【００５２】
以上説明したように、本発明の情報記録装置及び方法によれば、制御手段及び工程、並びに、検出手段及び工程を備えているので、ボーダーアウト等の境界情報が、冗長的な緩衝用エリアとして機能するのを効率的に又は完全に防止することが可能となる。また、本発明のコンピュータプログラムによれば、コンピュータを上述した本発明の情報記録装置として機能させるので、ボーダーアウト等の境界情報が、冗長的な緩衝用エリアとして機能するのを効率的に又は完全に防止することが可能となる。
【発明を実施するための最良の形態】
【００５３】
以下、本発明を実施するための最良の形態について実施例毎に順に図面に基づいて説明する。
【００５４】
（情報記録装置の第１実施例の対象となる情報記録媒体）
図１から図３を参照して、本発明の情報記録装置の第１実施例の記録対象となる情報記録媒体に係る光ディスクについて詳細に説明する。
【００５５】
先ず図１を参照して、本発明の情報記録装置の第１実施例の対象となる情報記録媒体に係る光ディスクの基本構造について説明する。ここに、図１（ａ）は、本発明の情報記録装置の第１実施例の対象となる情報記録媒体に係る複数の記録領域を有する光ディスクの基本構造を示した概略平面図であり、図１（ｂ）は、該光ディスクの概略断面図と、これに対応付けられた、その半径方向における記録領域構造の図式的概念図である。
【００５６】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。そして、光ディスク１００の例えば、透明基板２００に、記録層等が積層、或いは貼り合わされている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。
【００５７】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。
【００５８】
特に、本実施例に係る光ディスク１００は、図１（ｂ）に示されるように、例えば、透明基板に、後述される本発明に係る一及び他の記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーシングルサイドに限定されるものではなく、２層両面、即ちデュアルレイヤーダブルサイドであってもよい。更に、上述の如く２層の記録層を有する光ディスクに限られることなく、３層以上の多層型の光ディスクであってもよい。
【００５９】
尚、２層型光ディスクにおけるオポジット方式及びパラレル方式による記録再生手順及び各層におけるデータ構造については、後述される。
【００６０】
次に、図２を参照して、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生手順について説明する。ここに、物理的セクタ番号（以下適宜、セクタ番号と称す。）とは、光ディスクの記録領域における絶対的な物理的アドレスを示した位置情報である。また、図２は、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。縦軸は、１６進数で表現されたセクタ番号を示し、横軸は、光ディスクの半径方向の相対的な位置を示す。
【００６１】
図２に示されるように、本発明の情報記録装置の第１実施例の記録対象となる２層型光ディスク１００は、前述した透明基板と該透明基板に積層された２層の記録層、即ち、Ｌ０層とＬ１層とを備えて構成されている。
【００６２】
具体的には、Ｌ０層には、内周側から外周側にかけて、リードインエリア１０１−０、データエリア１０２−０及びミドルエリア１０４−０が設けられている。このリードインエリア１０１−０内、またはその内周部には、ＯＰＣ（Optimum Power Calibration）処理のためのＰＣ（Power Calibration）エリアＰＣＡ及び記録管理情報が記録されているＲＭ（Recording Management）エリアＲＭＡ等が設けられている。尚、ＰＣエリア、ＲＭエリアをリードインエリア１０１内のディスク内周側に配置しても良い。特に、データエリア１０２−０は、ボーダーゾーン１０５−０及びボーダーアウト１０５ａ−０又は１０５ｃ−０によって、例えば、３つのボーダードエリア１０６−０（以下、適宜「ボーダー」と称す）を備えて構成されている。各ボーダーゾーン１０５−０は、後述されるように、半径方向の長さが０．５ｍｍのボーダーアウト１０５ａ−０（又は半径方向の長さが０．１ｍｍの１０５ｃ−０）とボーダーイン１０５ｂ−０を備えて構成されている。
【００６３】
他方、Ｌ１層には、外周側から内周側にかけて、ミドルエリア１０４−１、データエリア１０２−１及びリードアウト１０３−１が設けられている。このリードアウトエリア１０３−１にも、図示しないＯＰＣエリア等が設けられていてもよい。特に、データエリア１０２−１も、例えば、外周側からボーダーゾーン１０５−１及びボーダーアウト１０５ｃ−１が設けられ、それらの間に１つのボーダー１０６−１が構成されている。各ボーダーゾーン１０５−１は、Ｌ０層と同様に、半径方向の長さが０．５ｍｍのボーダーアウト１０５ａ−１（又は半径方向の長さが０．１ｍｍの１０５ｃ−１）とボーダーイン１０５ｂ−１を備えて構成されている。
【００６４】
以上のように２層型光ディスク１００は構成されているので、該光ディスク１００の記録又は再生の際には、本発明の情報記録装置の第１実施例に係る情報記録再生装置の図示しない光ピックアップによって、レーザ光ＬＢは、図示しない基板の側から、即ち、図２中の下側から上側に向けて照射され、その焦点距離等が制御されると共に、光ディスク１００の半径方向における移動距離及び方向が制御される。これにより、夫々の記録層にデータが記録され、又は、記録されたデータが再生される。
【００６５】
特に、本発明の情報記録装置の第１実施例の記録対象となる情報記録媒体に係る２層型光ディスクの記録又は再生手順としてオポジット方式が採用されている。ここに、オポジット方式とは、より詳細には、２層型光ディスクの記録又は再生手順として、第１実施例に係る情報記録再生装置の光ピックアップが、Ｌ０層において、内周側から外周側へ向かって、即ち、図２中の矢印の右方向へ移動するのとは逆に、Ｌ１層においては、光ピックアップが外周側から内周側へ向かって、即ち、図２中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り換えればよいため、Ｌ０層からＬ１層への切り換え時間がパラレル方式と比較して短いという利点があるためビデオデータのような記録、再生時にリアルタイム性を要求される、大容量のコンテンツ情報の記録に採用されている。
【００６６】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が「０２ＦＦＦＦｈ」のリードインエリア１０１−０の終了位置（図２中のＡ地点を参照）、セクタ番号が「０３００００ｈ」のデータエリア１０２−０の開始位置（図２中のＢ地点を参照）、セクタ番号が「１ＡＦＦＦＦｈ」のデータエリア１０２−０の終了位置（以下、適宜、Ｌ０層の「折り返し点」と称す：図２中のＣ地点を参照）に順次アクセスして、緩衝の役目を果たすミドルエリア１０４−０へと移動されることによって、Ｌ０層における記録又は再生が行われる。尚、本実施例において、「３００００ｈ」等の末尾の「ｈ」とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が「Ｅ５００００ｈ」のデータエリア１０２−１の開始位置（以下、適宜、Ｌ１層の「折り返し地点」と称す：図２中のＤ地点を参照）、セクタ番号が「ＦＣＦＦＥＦｈ」のデータエリア１０２−１の終了位置（図２中のＥ地点を参照）に順次アクセスして、リードアウトエリア１０３−１へと移動されることによって、Ｌ１層における記録又は再生が行われる。
【００６７】
以上説明したＬ０層とＬ１層におけるセクタ番号はすべて、１６進数における１５の補数の関係にある。より具体的には、例えば、Ｌ０層における折り返し点（セクタ番号「１ＡＦＦＦＦｈ」）とＬ１層における折り返し点（セクタ番号「Ｅ５００００ｈ」）は１５の補数の関係にある。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。
【００６８】
よって、コンテンツ情報は、例えば、Ｌ０層のデータエリア１０２−０のセクタ番号「０３００００ｈ」から「１ＡＦＦＦＦｈ」及びＬ１層のデータエリア１０２−１のセクタ番号「Ｅ５００００ｈ」から「ＦＣＦＦＥＦｈ」において、光ピックアップが連続して移動されると同時に記録又は再生される。
【００６９】
以上説明した物理的セクタ番号に対して、論理ブロックアドレス（ＬＢＡ：Logical Block Address）が、１対１に割り付けられている。より具体的には、例えば、セクタ番号「０３００００ｈ」には「００００００ｈ」ＬＢＡが対応し、セクタ番号「ＦＣＦＦＥＦｈ」には、「３０ＦＦＥＦｈ」ＬＢＡが対応する。尚、本発明の情報記録装置の第１実施例の作用効果の更なる検討については、後述される。
【００７０】
次に、図３を参照して、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのパラレル方式による記録又は再生手順について説明する。ここに、図３は、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのパラレル方式による記録又は再生方法を示した概念的グラフ図である。縦軸及び横軸は、前述した図２と同様である。
【００７１】
図３に示されるように、本発明の情報記録装置の第１実施例の記録対象となる２層型光ディスク１００は、図示しない基板と該基板に積層された２層の記録層、即ち、Ｌ０層とＬ１層とを備えて構成されている。
【００７２】
具体的には、Ｌ０層には、内周側から外周側にかけて、リードインエリア１０１−０、データエリア１０２−０及びリードアウトエリア１０３−０が設けられている。このリードインエリア１０１−０内、或いはその内周側には、前述したＯＰＣ処理のためのＰＣエリアＰＣＡ及び記録管理情報が記録されているＲＭエリアＲＭＡ等が設けられている。特に、データエリア１０２−０におけるボーダーゾーン等の構造は、前述した図２の説明と同様である。
【００７３】
他方、Ｌ１層には、内周側から外周側にかけて、リードインエリア１０１−１、データエリア１０２−１及びリードアウト１０３−１が設けられている。このリードインエリア１０１−１にも、図示しないＯＰＣエリア等が設けられていてもよい。特に、データエリア１０２−１も、例えば、内周側からボーダーゾーン１０５−１及びボーダーアウト１０５ｃ−１が設けられ、図３においては、それらの間に１つのボーダー１０６−１が構成されている。各ボーダーゾーン１０５−１の構成は、前述したボーダーゾーン１０５−０と同様である。
【００７４】
以上のように２層型光ディスク１００は構成されているので、該光ディスク１００の記録又は再生の際の焦点距離等の制御は、前述したオポジット方式と同様である。
【００７５】
特に、本発明の情報記録装置の第１実施例の記録対象となる情報記録媒体に係る２層型光ディスクの記録又は再生手順としてパラレル方式が採用されている。このパラレル方式では、Ｌ０層における記録又は再生が終了されると、Ｌ１層における記録又は再生が開始される時に、光ディスクの最外周にある光ピックアップが再度、最内周へ向かって移動する必要があるためＬ０層からＬ１層への切り換え時間がその分だけ掛かってしまう。
【００７６】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が「０２ＦＦＦＦｈ」のリードインエリア１０１−０の終了位置（図３中のＡ地点を参照）、セクタ番号が「０３００００ｈ」のデータエリア１０２−０の開始位置（図３中のＢ地点を参照）、セクタ番号が「１ＡＦＦＦＦｈ」のデータエリア１０２−０の終了位置（図３中のＣ地点を参照）に順次アクセスして、緩衝の役目を果たすリードアウトエリア１０３−０へと移動されることによって、Ｌ０層における記録又は再生が行われる。
【００７７】
他方、Ｌ１層において、具体的には、光ピックアップがリードインエリア１０１−１、データエリア１０２−１及びリードアウトエリア１０３−１を内周側から外周側へ移動するにつれて光ディスク１００の記録領域におけるセクタ番号は増加していく。より具体的には、光ピックアップが、緩衝の役目を果たすリードインエリア１０１−１、セクタ番号が「０３００００ｈ」のデータエリア１０２−１の開始位置（図３中のＢ地点を参照）、セクタ番号が「１ＡＦＦＥＦｈ」のデータエリア１０２−１の終了位置（図３中のＤ地点を参照）に順次アクセスして、リードアウトエリア１０３−１へと移動されることによって、Ｌ１層における記録又は再生が行われる。
【００７８】
よって、コンテンツ情報は、例えば、Ｌ０層のデータエリア１０２−０のセクタ番号「０３００００ｈ」から「１ＡＦＦＦＦｈ」及びＬ１層のデータエリア１０２−１のセクタ番号「０３００００ｈ」から「１ＡＦＦＥＦｈ」において、光ピックアップが連続して移動されると同時に記録又は再生される。
【００７９】
以上説明した物理的セクタ番号に対して、論理ブロックアドレス（ＬＢＡ：Logical Block Address）が、１対１に割り付けられている。より具体的には、例えば、Ｌ０層におけるセクタ番号「０３００００ｈ」には「００００００ｈ」ＬＢＡが対応し、セクタ番号「１ＡＦＦＦＦｈ」には、「１７ＦＦＦＦｈ」ＬＢＡが対応する。他方、Ｌ１層におけるセクタ番号「０３００００ｈ」には「１８００００ｈ」ＬＢＡが対応し、セクタ番号「１ＡＦＦＥＦｈ」には、「２ＦＦＦＥＦｈ」ＬＢＡが対応する。
【００８０】
次に、図４を参照して、本発明の情報記録装置の第１実施例に係る情報記録再生装置の記録対象となる、例えば、ＤＶＤ−Ｒ等の２層型光ディスクにおける通常のボーダーゾーンの物理的な記録容量について説明する。ここに、図４は、第１実施例に係る情報記録再生装置の記録対象となる、例えば、ＤＶＤ−Ｒ等の２層型光ディスクのＬ０層における通常のボーダーゾーンの物理的な記録容量を示したテーブルである。
【００８１】
図４に示されるように、横方向の列は、左から順番に、内周、中周及び外周に対応するボーダーゾーンの開始位置を示したセクタ番号である。縦方向の行は、上から順番に、１番最初に記録されるボーダーゾーン及び２番目以降に記録されるボーダーゾーンの記録容量をＥＣＣブロック数及びバイト数で示している。通常のボーダーゾーンの記録容量は、記録される開始位置によって異なると共に、１番最初に記録される場合には、半径方向に相対的に長いボーダーゾーンが記録される。他方、２番目以降に記録される場合には、半径方向に相対的に短いボーダーゾーンが記録される。
【００８２】
具体的には、１番最初に記録されるボーダーゾーンの半径方向の長さは、約０．５ｍｍとなり、２番目以降に記録されるボーダーゾーンの半径方向の長さは約０．１ｍｍとなるように規定されている。より具体的には、図４のテーブルに示されるように、光ディスクの記録領域のセクタ番号「１６５７００ｈ」以降の通常のボーダークローズ処理において、１番最初に記録されるボーダーゾーンの記録容量は、「２９４４」ＥＣＣブロックであり、「９２」ＭＢである。他方、２番目以降に記録されるボーダーゾーンの記録容量は、「６０８」ＥＣＣブロックであり、「１９」ＭＢである。詳細には、このように、１番最初に記録されるボーダーゾーンを０．５ｍｍにする理由は、例えば、光ディスクのマルチボーダー構造を認識することができない初期に製造されたＤＶＤ−ＲＯＭ再生専用ドライブ（以下、適宜「マルチボーダー非対応のドライブ」と称す）によっても、１番最初に記録されたボーダーゾーンによって形成された第１番目のボーダーを認識可能とするためである。より詳細には、マルチボーダー非対応のドライブは、基本的には、半径方向の長さの最小値が約０．５ｍｍと規定されたリードアウトエリアを認識できるように設計されている。これにより、マルチボーダー非対応のドライブであっても、リードインエリアから１番最初に記録されたボーダーゾーンまでのデータエリアについては、通常のＤＶＤ−ＲＯＭと同様に再生することが可能とされる。このように、０．５ｍｍと０．１ｍｍを混在させることは、ボーダーゾーンをすべて０．５ｍｍで規定する場合と比較して、ボーダークローズ処理の時間を短縮させることが可能となる点で有利である。
【００８３】
次に、図５を参照して、本発明の情報記録装置の第１実施例に係る情報記録再生装置の記録対象となる、例えば、ＤＶＤ−Ｒ等の２層型光ディスクにおける通常のボーダーゾーンの詳細なデータ構造について説明する。ここに、図５は、第１実施例に係る情報記録再生装置の記録対象となる、例えば、ＤＶＤ−Ｒ等の２層型光ディスクのＬ０層における通常のボーダーゾーンの詳細なデータ構造を示したデータ構造図である。
【００８４】
図５に示されるように、通常のボーダーゾーン１０５−０（１０５−１：以下、括弧内は、Ｌ１層における符号番号を示す）は、ボーダーアウト１０５ａ−０（１０５ａ−１）とボーダーイン１０５ｂ−０（１０５ｂ−１）を備えて構成されている。そして、通常のボーダーゾーンの記録容量は、例えば、「２９４４」ＥＣＣブロック（前述した０．５ｍｍ用）又は「６０８」ＥＣＣブロック（前述した０．１ｍｍ用）である。
【００８５】
ボーダーイン１０５ｂ−０（１０５ｂ−１）には、最新の「５」ＥＣＣブロックの制御又は記録管理用データが記録されている。この制御又は記録管理用データの構造は、リードインエリア内に記録されている制御又は記録管理用データの構造と同じである。尚、ボーダーイン１０５ｂ−０（１０５ｂ−１）の最後に設けられるＢＳＧＡ（Block SYNC Guard Area）は、ボーダーインの制御又は記録管理用データが未記録の場合に次に隣接する記録済みのＥＣＣブロックが再生可能であることを保証するために記録されるものである。
【００８６】
ボーダーアウト１０５ａ−０（１０５ａ−１）、または１０５ｃ−０（１０５ｃ−１）は、更に、ボーダーＲＭＤエリア１０５ｄ−０、ストップブロックＳＢ、３個のネクストボーダーマーカーＮＭ及び緩衝用データを含んだ緩衝用エリアを備えて構成されている。
【００８７】
ボーダーＲＭＤエリア１０５ｄ−０には、最新のＲＭＤ（Recording Management Data）等の記録管理用データが５個だけコピーされて記録されている。このボーダーＲＭＤエリア１０５ｄ−０は、例えば、ＤＶＤ−Ｒのリードインエリア内、またはその内周側にあるＲＭエリアを読めないＤＶＤ−ＲＯＭ専用ドライブに、ボーダーに記録された情報を再生するための管理情報等を提供することが可能である。
【００８８】
ストップブロックＳＢは、「２」ＥＣＣブロックの記録容量であり、ボーダーアウト１０５ａ−０（１０５ａ−１）、または、１０５ｃ−０（１０５ｃ−１）の開始位置から相対的に３８及び３９番目に位置している。ストップブロックＳＢの領域の属性は、リードアウトエリアと同じ属性である。これは、光ピックアップにリードアウトエリアと同じ領域を認識させ、該光ピックアップの暴走を防止するためである。
【００８９】
各ネクストボーダーマーカーＮＭは、「２」ＥＣＣブロックの記録容量であり、このネクストボーダーマーカーＮＭによって、次のボーダーが存在するか否かを判定することができる。具体的には、次のボーダーが存在せず、リードアウトエリアがまだ記録されていない場合には、最後に位置するボーダーアウトのネクストボーダーマーカーＮＭは未記録状態である。そして、ボーダークローズ処理においては、最後から二番目のボーダーアウトの各ネクストボーダーマーカーＮＭには、例えば、「００ｈ」が記録される。そして、ファイナライズ処理においては、最後のボーダーアウトの各ネクストボーダーマーカーＮＭには、例えば、「００ｈ」がパディング（Padding）され、各ネクストボーダーマーカーＮＭの領域の属性は、リードアウトエリアと同じ属性にされる。
【００９０】
尚、ＤＶＤ−ＲＷの場合、ネクストボーダーマーカーＮＭは存在しない。
【００９１】
次に、図６を参照して、本発明の情報記録装置の第１実施例に係る情報記録再生装置による光ディスクの記録領域における一般的なボーダークローズ処理の手順について説明する。ここに、図６は、第１実施例に係る情報記録再生装置による、光ディスクの記録領域におけるボーダークローズ処理の手順を４つフェイズで示した図式的概念図である。尚、図６は、理解しやすくするために、層をまたがない場合のＬ０層におけるボーダークローズ処理を示している。
【００９２】
先ず、図６の第１フェイズで示されるように、例えば、データ等の情報が、例えば、セクタ毎に、左側から右側へ（Ｌ０層の場合、ディスク内周側から外周側）、例えば、ＤＶＤ−Ｒ記録ドライブによって追記される。このような記録方式はシーケンシャル記録方式と称される（図６中、ステップＳ１、ステップＳ２及びステップＳ３参照）。
【００９３】
次に、図６の第２フェイズで示されるように、光ディスクをＲＯＭ再生専用ドライブで読込み可能とするためにボーダークローズ処理が行われる。具体的には、ボーダーアウト１０５ａ−０の記録（ステップＳ４）の後、リードインエリア１０１−０に管理情報等が記録される（ステップＳ５）。より具体的には、リードインエリア１０１−０にはボーダーアウト１０５ａ−０が開始される位置情報を示した物理的セクタ番号等に加えて、次のボーダーイン１０５ｂ−０が開始される位置情報が記録される。尚、最初のボーダークローズ処理なので半径方向の長さが０．５ｍｍのボーダーアウト１０５ａ−０が記録される（前述した、図４の説明参照）。
【００９４】
以上より、第２フェイズの光ディスクにおける第１番目のボーダー（ボーダードエリア）１０６−０は、例えば、マルチボーダー非対応のドライブを含めて、すべてのＤＶＤ−ＲＯＭ再生専用ドライブによって読み込み可能となる。
【００９５】
次に、図６の第３フェイズで示されるように、データ等の情報が、セクタ毎に、ステップＳ６において、ＤＶＤ−Ｒ記録ドライブによって追記が行われる。具体的には、このステップでは、次の第４フェイズにおいてボーダーイン１０５ｂ−０が記録される領域が空けられて、追記が行われる。
【００９６】
以上より、第３フェイズの光ディスクにおいては、最初のボーダークローズ処理が完了した第１番目のボーダー１０６−０内のデータ等の情報だけが、ＤＶＤ−ＲＯＭ専用ドライブによって認識すること可能となる。
【００９７】
次に、図６の第４フェイズで示されるように、第３フェイズのステップＳ６において追記された情報を、ＲＯＭ再生専用ドライブによって、読み込み可能とするために２回目のボーダークローズ処理が行われる。尚、２回目以降のボーダークローズ処理なので半径方向の長さが０．１ｍｍのボーダーアウト１０５ｃ−０が記録される（ステップＳ７）と共に、第３フェイズにおける空き領域に、ボーダーイン１０５ｂ−０が記録される（ステップＳ８）。
【００９８】
以上より、第４フェイズの光ディスクにおいては、第１番目のボーダー１０６−０と第２番目のボーダー１０６−０の領域内のデータ等の情報を、光ディスクのマルチボーダー構造を認識することができるＤＶＤ−ＲＯＭ再生専用ドライブ（以下、適宜「マルチボーダー対応のドライブ」と称す）によって読み込み可能となる。
【００９９】
次に、図７を参照して、本発明の情報記録装置の第１実施例に係る情報記録再生装置による、例えば、ＤＶＤ−Ｒ等の光ディスクの記録領域における一般的な追記の際の２種類のリンキングについて説明する。ここに、図７は、第１実施例に係る情報記録再生装置による光ディスクの記録領域における一般的な追記の際の２種類のリンキングにおける手順を示した概念図である。
【０１００】
図７に示されるように、例えば、ＤＶＤ−Ｒのリンキングでは、２ＫＢと３２ＫＢの２種類のリンキングサイズが定義されている。リンキングサイズが２ＫＢの場合は、例えば、１ＥＣＣ単位で記録が完了した場合には、次の未記録のＥＣＣブロックの第１シンクフレーム）において記録を終了する。（図７中、左側の中段参照）。
【０１０１】
次に、記録を再開する際に、この第１シンクフレームから記録を再開し、２ＫＢのリンキングロスエリアを生成した後、次の書き継ぎ地点を示すＮＷＡ（Next Writable Address）からユーザーデータの追記が開始される（図７中、左側の下段参照）。このように、リンキングサイズが２ＫＢの場合においては、オーバーヘッドをより少なくさせることができるが、リンキングが発生した場所のＥＣＣブロックにおける誤り訂正の品質は低下してしまう。他方、リンキングサイズが３２ＫＢの場合は、例えば、１ＥＣＣ単位で記録が完了した場合には、２ＫＢの場合と同様に、次の未記録のＥＣＣブロックの第１シンクフレームにおいて記録を終了する。（図７中、右側の中段参照）。
【０１０２】
次に、記録を再開する際に、この第１シンクフレームから記録を再開し、３２ＫＢのリンキングロスエリアを生成し、ＮＷＡ、すなわち次のＥＣＣブロックの先頭からユーザーデータの追記が開始される（図７中、右側の下段参照）。このように、リンキングサイズが３２ＫＢの場合においては、オーバーヘッドはより大きくなるが、ユーザーデータが記録されるＥＣＣブロックの誤り訂正の品質は、リンキングの影響を受けないので、高品質のままである。
【０１０３】
次に、図８を参照して、本発明の情報記録装置の第１実施例に係る情報記録再生装置の記録対象となる２層型光ディスクにおいて、本発明に係る「第２境界情報」が記録された領域の一具体例である所謂、「層間ボーダーゾーン」の詳細なデータ構造の一具体例について説明する。ここに、層間ボーダーゾーンとは、２層間をまたいだボーダークローズ処理において記録されるボーダーゾーンである。また、図８は、第１実施例に係る情報記録再生装置の記録対象となる２層型光ディスクにおける層間ボーダーゾーンの詳細なデータ構造の一具体例を示した図式的データ構造図である。
【０１０４】
図８に示されるように、第１実施例に係る情報記録再生装置の記録対象となる２層型光ディスクにおいて、層間ボーダーゾーンの記録容量は、２層間をまたいだボーダークローズ処理において記録されるため、前述の図５において説明した通常のボーダーゾーンより縮小されている。具体的には、層間ボーダーソーン１０７−０は、層間ボーダーアウト１０７ａ−０及び前述した通常のボーダーイン１０５ｂ−１を備えて構成されている。層間ボーダーアウト１０７ａ−０は、前述したボーダーＲＭＤエリア１０５ｃ−０及び３つのネクストボーダーマーカーＮＭを備えて構成されている。これらの領域の間には、例えば、「００ｈ」等のダミーデータが「８」ＥＣＣブロックの記録容量でパディング（Padding）されている。
【０１０５】
特に、層間ボーダーアウト１０７ａ−０の最後にパディングされるダミーデータの記録容量は、最小の記録容量を「８」ＥＣＣブロックとする可変長である。よって、層間ボーダーアウトの記録容量を、例えば、最小値「４３」ＥＣＣブロックから、通常のボーダーアウトの記録容量である最大値「２９３７」ＥＣＣブロックまで可変とすることが可能となる。
【０１０６】
（情報記録装置の第１実施例）
次に、図９を参照して、本発明の情報記録装置の第１実施例の構成及び動作について詳細に説明する。特に、第１実施例は、本発明に係る情報記録装置を光ディスク用の情報記録再生装置に適用した例である。ここに、図９は、本発明の情報記録装置に係る第１実施例における情報記録再生装置のブロック図である。尚、情報記録再生装置３００は、光ディスク１００に記録データを記録する機能と、光ディスク１００に記録された記録データを再生する機能とを備える。
【０１０７】
図９において、情報記録再生装置３００は、ＣＰＵ（Central Processing Unit）の制御下で、光ディスク１００に情報を記録すると共に、光ディスク１００に記録された情報を読み取る装置である。情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作制御手段３０７、操作ボタン３１０、表示パネル３１１、及びバス３５７を備えて構成されている。
【０１０８】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。
【０１０９】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。特に、光ピックアップ３５２は、本発明に係る「書込手段」の一例を構成する。
【０１１０】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。
【０１１１】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理等において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。
【０１１２】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェアは、メモリ３５５に格納されている。特に、ＣＰＵ３５４は、本発明に係る「制御手段」及び「判定手段」の一例を構成する。
【０１１３】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータを例えば、ＭＰＥＧフォーマットに圧縮（エンコード）してからメモリ３５５へ出力し、データ出力時には、メモリ３５５から受け取ったＭＰＥＧフォーマット等のエンコードされたデータを伸張（デコード）してから外部へ出力する。
【０１１４】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。特に、本実施例では、操作制御手段３０７は、ホストコンピューターとして、図示しないＣＰＵ及びメモリ等によって構成されていてもよい。
【０１１５】
以上説明した、情報記録再生装置３００の一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。
【０１１６】
（情報記録再生装置による記録動作の流れ―第１実施例―）
次に図１０から図１５を参照して、本発明の情報記録装置の第１実施例に係る情報記録再生装置における光ディスクの記録動作の流れについて詳細に説明する。ここに、図１０は本発明の情報記録装置の第１実施例に係る情報記録再生装置における光ディスクの記録動作の流れを示したフローチャート図である。尚、図１０中、「Ｘ」及び「α」は、共に変数であり、「Ｌ」及び「Ｍ」は、共に定数である。ここに、図１１（ａ）は、本発明の情報記録装置の第１実施例に係る情報記録再生装置によって記録される通常のボーダーアウトの領域を示した概念図であり、図１１（ｂ）は、層間ボーダーアウトの領域を示した概念図である。尚、「Ｌ」は、本発明に係る「第１閾値」の一例を構成し、具体的には、前述したように、「２９３８（０．５ｍｍ用）」又は「６０２（０．１ｍｍ用）」ＥＣＣブロックである。また、「Ｍ」は、本発明に係る「第２閾値」の一例を構成し、具体的には、前述したように、「４３」ＥＣＣブロックである。また、図１２は、図１０のステップＳ１１０からＳ１１４に対応した、Ｌ０層のデータエリアの空き容量「Ｘ」が「Ｌ」以上の場合のＬ０層及びＬ１層の記録領域を示した図式的概念図である。尚、図中、右側が外周側を、左側が内周側を示す。図１３は、図１０のステップＳ１１６からＳ１１９に対応した、Ｌ０層のデータエリアの空き容量「Ｘ」が「Ｍ」以上且つ「Ｌ」未満である場合のＬ０層及びＬ１層の記録領域を示した図式的概念図である。尚、内外周側の位置関係は図１２と同様である。図１４は、図１０のステップＳ１１０からＳ１１４に対応した、Ｌ０層のデータエリアの空き容量「Ｘ」が「Ｍ」未満である場合に、通常のボーダークローズ処理を、層をまたいで行った時の、Ｌ０層及びＬ１層の記録領域を示した図式的概念図である。尚、内外周側の位置関係は図１２と同様である。図１５は、図１０のステップＳ１０４ａの判定に基づいて、Ｌ１層における追記とボーダークローズ処理を行った時の、Ｌ０層及びＬ１層の記録領域を示した図式的概念図である。尚、内外周側の位置関係は図１２と同様である。
【０１１７】
先ず、図１０において、光ディスク１００が装填されると、先ず、ＣＰＵ３５４の制御下で、光ピックアップ３５２によりシーク動作が行われ、光ディスク１００への記録処理に必要な各種管理情報が取得されると同時に、例えばユーザーデータ等の追記を行うか否かが判定される（ステップＳ１０１）。ここで、光ディスク１００への追記を行う場合（ステップＳ１０１：Ｙｅｓ）、情報記録再生装置による追記が、例えばＬ０層において、セクタ或いは、ＥＣＣブロック単位で行われる（ステップＳ１０２）。続いて、光ディスクが排出されるか否かが判定される（ステップＳ１０３）。ここで、排出されない場合（ステップＳ１０３：Ｎｏ）、更に、ボーダークローズ処理が行われるか否かが判定される（ステップＳ１０４）。ここで、ボーダークローズ処理が行われる場合（ステップＳ１０４：Ｙｅｓ）、更に、情報記録再生装置による追記が、Ｌ０層において行われているか否かが判定される（ステップＳ１０４ａ）。ここで、情報記録再生装置による追記が、Ｌ０層において行われている場合（ステップＳ１０４ａ：Ｙｅｓ）、Ｌ０層におけるデータエリアの残りの空き容量「Ｘ」（ＥＣＣブロック）が計算される（ステップＳ１０５）。但し、１ＥＣＣブロックに満たない空き容量は切り捨てて計算される。
【０１１８】
他方、ステップＳ１０４の判定の結果、ボーダークローズ処理が行われない場合（ステップＳ１０４：Ｎｏ）、Ｌ０層における追記が行われる（ステップＳ１０２）。
【０１１９】
続いて、光ディスクに対する最初のボーダークローズ処理であるか否かが判定される（ステップＳ１０６）。ここで、最初のボーダークローズ処理である場合（ステップＳ１０６：Ｙｅｓ）、定数「Ｌ」に例えば、「２９３８」（ＥＣＣブロック）が代入される（ステップＳ１０７）。より具体的には、このことによって、光ディスクの記録面における１番最初に記録されるボーダーゾーンの半径方向の長さを約０．５ｍｍにすることができる。
【０１２０】
他方、最初のボーダークローズ処理でない場合（ステップＳ１０６：Ｎｏ）、定数「Ｌ」に例えば、「６０２」（ＥＣＣブロック）が代入される（ステップＳ１０８）。より具体的には、このことによって、光ディスクの記録面における２番目以降のボーダーゾーンの半径方向の長さを約０．１ｍｍにすることができる。続いて、空き容量「Ｘ」が定数「Ｌ」以上であるか否かが判定される（ステップＳ１０９）。ここで、空き容量「Ｘ」が定数「Ｌ」以上である場合（ステップＳ１０９：Ｙｅｓ）、更に、光ディスクに対する最初のボーダークローズ処理であるか否かが判定される（ステップＳ１１０）。ここで、最初のボーダークローズ処理である場合（ステップＳ１１０：Ｙｅｓ）、通常のボーダーアウト１０５ａ−０が記録される（ステップＳ１１１）。より具体的には、図１２で示されるように、Ｌ０層の空き容量「Ｘ」が定数「Ｌ」以上であるので、半径方向の長さが０．５ｍｍの通常のボーダーアウト１０５ａ−０（但し、Ｌ＝「２９３８」ＥＣＣブロック：図１１（ａ）を参照）がＬ０層において記録される。続いて、リードインエリア１０１−０に管理情報等が記録される（ステップＳ１１２）。より具体的には、リードインエリア１０１−０にはボーダーアウト１０５ａ−０が開始される位置情報を示した物理的セクタ番号等に加えて、次のボーダーイン１０５ｂ−０が開始される位置情報が記録される。
【０１２１】
他方、最初のボーダークローズ処理でない場合（ステップＳ１１０：Ｎｏ）、通常のボーダーアウト１０５ｃ−０が記録される（ステップＳ１１３）。より具体的には、図１２で示されるように、Ｌ０層の空き容量「Ｘ」が定数「Ｌ」以上であるので、半径方向の長さが０．１ｍｍの通常のボーダーアウト１０５ｃ−０（但し、Ｌ＝「６０２」ＥＣＣブロック：図１１（ａ）を参照）がＬ０層において記録される。
【０１２２】
続いて、前回記録した通常のボーダーアウト１０５ａ−０又は１０５ｃ−０の直後のボーダーイン１０５ｂ−０が記録される（ステップＳ１１４）。
【０１２３】
他方、ステップＳ１０９の判定の結果、空き容量「Ｘ」が定数「Ｌ」より小さい場合（ステップＳ１０９：Ｎｏ）、更に、空き容量「Ｘ」が定数「Ｍ」以上であるか否かが判定される（ステップＳ１１５）。ここで、空き容量「Ｘ」が定数「Ｍ」以上でない場合（ステップＳ１１５：Ｎｏ）、空き容量「Ｘ」が定数「Ｍ」より小さいので、通常のボーダークローズ処理であるステップＳ１１０からステップＳ１１４までの処理がなされる。但し、ステップＳ１１１及びステップＳ１１３においては、より具体的には、図１４で示されるように、Ｌ０層の空き容量「Ｘ」が定数「Ｍ」より小さいので、通常のボーダーアウト（図１１（ａ）を参照：Ｌ＝「２９３８」又は「６０２」ＥＣＣブロック）がＬ０層及びＬ１層を跨って記録される。
【０１２４】
他方、ステップＳ１１５の判定の結果、空き容量「Ｘ」が定数「Ｍ」以上である場合（ステップＳ１１５：Ｙｅｓ）、層間ボーダーアウトがＬ０層のデータエリアにおいて記録される（ステップＳ１１６）。具体的には、図１３で示されるように、Ｌ０層の空き容量「Ｘ」が定数「Ｍ」 （例えば、「Ｍ」＝「４３」）以上で且つ定数「Ｌ」より小さいので、層間ボーダーアウト（図１１（ｂ）を参照）が拡張されて、Ｌ０層のデータエリアにおいて記録される。より具体的には、「Ｍ」ＥＣＣブロックは、データエリアに記録され、容量「Ｘ−Ｍ」ＥＣＣブロックはミドルエリアの開始位置まで、例えば、「０」又は「Ｎｕｌｌ」等のダミーデータ「α」が、パディング（Padding）されて記録される。
【０１２５】
続いて、光ディスクに対する最初のボーダークローズ処理であるか否かが判定される（ステップＳ１１７）。ここで、最初のボーダークローズ処理である場合（ステップＳ１１７：Ｙｅｓ）、リードインエリアに管理情報等が記録される（ステップＳ１１８）。
【０１２６】
他方、ステップＳ１１７の判定の結果、光ディスクに対する最初のボーダークローズ処理でない場合（ステップＳ１１７：Ｎｏ）、前回記録した通常のボーダーアウトの直後にボーダーインが記録される（ステップＳ１１９）。
【０１２７】
他方、ステップＳ１０４ａの判定の結果、情報記録再生装置による追記が、Ｌ０層において行われていない場合、即ち、Ｌ１層において行われている場合（ステップＳ１０４ａ：Ｎｏ）について説明する。この場合、より具体的には、図１５におけるステップＳ１０２−１及びＳ１０２−２にも示されるように、Ｌ１層において、データ等の情報の追記が外周側から内周側へ向かって行われる。
【０１２８】
続いて、前述したステップＳ１１０のように、光ディスクに対する最初のボーダークローズ処理であるか否かが判定される。但し、Ｌ１層におけるボーダークローズ処理は、このステップＳ１１０の判定処理が省略されて、無条件に、ステップＳ１１３に進んでもよい。より具体的には、図１５におけるステップＳ１１３−１にも示されるように、Ｌ１層において、半径方向の長さが０．１ｍｍの通常のボーダーアウト１０５ｃ−１がＬ１層に記録されるようにしてもよい。
【０１２９】
続いて、前述したステップＳ１１４のように、前回記録した通常のボーダーアウトの直後のボーダーイン１０５ｂ−１が記録される（ステップＳ１１４）。より具体的には、図１５におけるステップＳ１１４−１に示されるように、例えば、ステップＳ１１６においてＬ０層に記録された層間ボーダーアウト１０７ａ−０の直上に位置するＬ１層の空き領域にボーダーイン１０５ｂ−１が記録される。但し、ボーダークローズ処理がＬ０層において、１度も行なわれずに、最初のボーダークローズ処理がＬ１層において行われる場合、ボーダーイン１０５ｂ−０は、リードインエリアにおいて記録されるようにしてもよい。
【０１３０】
他方、ステップＳ１０１の判定の結果、追記が行われない場合（ステップＳ１０１：Ｎｏ）、及び、ステップＳ１０３の判定の結果、光ディスクが排出される場合（ステップＳ１０３：Ｙｅｓ）、一連の追記処理、或いはボーダークローズ処理は終了する。
【０１３１】
次に、前述した図２及び図３を参照して、本発明の情報記録装置の第１実施例に係る情報記録再生装置の作用効果について検討を加える。図２に示されるように、前述したように、２層型光ディスクは、１層型光ディスクと同様に、Ｌ０層とＬ１層とにおいて、論理ブロックアドレス（ＬＢＡ：Logical Block Address）は連続している。したがって、ボーダーゾーン１０５−１に含まれるボーダーアウト１０５ａ−１又は１０５ｃ−１がＬ０層及びＬ１層を跨って記録される場合、Ｌ０層に記録する条件と同様にして、Ｌ１層に記録されることが可能となる。
【０１３２】
しかしながら、この場合、例えばオポジット方式においては、Ｌ１層にミドルエリアが既に緩衝用エリアとして配置されているため、本来の緩衝用エリアの役目を果たすボーダーアウト１０５ａ−１又は１０５ｃ−１並びにボーダーイン１０５ｂ−１を備えて構成されているボーダーゾーンは、Ｌ１層では不必要となってしまう。より具体的には、例えば、ボーダーゾーン１０５−０（１０５−１）がＬ０層（図２中、ボーダーアウト１０５ｃ−０を参照）及びＬ１層（図２中、ボーダーアウト１０５ｃ−１を参照）を跨って記録された場合、このボーダーゾーン１０５−１は、既に、ミドルエリア１０４−１が緩衝用エリアとして存在するため、不必要となってしまう。
【０１３３】
一方、パラレル方式においても、図３に示されるように、ボーダーゾーン１０５−１がＬ０層及びＬ１層を跨って記録される場合、Ｌ１層にリードインエリア１０１−１が既に緩衝用エリアとして配置されているため、本来の緩衝用エリアの役目を果たすボーダーゾーン１０５−１は、Ｌ１層では不必要となってしまう。より具体的には、例えば、ボーダーゾーン１０５−０（１０５−１）がＬ０層（図３中、ボーダーアウト１０５ｃ−０を参照）及びＬ１層（図３中、ボーダーアウト１０５ｃ−１を参照）を跨って記録された場合、このボーダーアウト１０５ｃ−１及びボーダーイン１０５ｂ−１を備えて構成されているボーダーゾーン１０５−１は、既に、リードインエリア１０１−１が緩衝用エリアとして存在するため、不必要となってしまう。このように、ボーダーアウト１０５ａ−１又は１０５ｃ−１がＬ０層及びＬ１層を跨って記録される場合、Ｌ１層におけるボーダーアウト１０５ａ−１又は１０５ｃ−１は、冗長的な緩衝用エリアとして機能し、不必要となってしまう。それにも関わらず光ディスクの記録容量を浪費し、さらにボーダークローズ処理にかかる時間を長くさせてしまう。これに対して、図１から図１５を参照して説明した本発明の情報記録装置の第１実施例に係る情報記録再生装置によれば、ボーダーアウト１０５ａ−１又は１０５ｃ−１がＬ０層及びＬ１層を跨って記録される場合、通常のボーダーアウトと比べて小さな記録容量の層間ボーダーアウトをＬ０層に記録し、Ｌ１層にはボーダーアウト１０５ａ−１又は１０５ｃ−１が記録されるのを効率的に又は完全に防止することで、Ｌ１層におけるボーダーアウト１０５ａ−１又は１０５ｃ−１が、冗長的な緩衝用エリアとして機能するのを効率的に又は完全に防止することが可能となる。よって、光ディスクの記録容量の浪費を防止することができると共に、ボーダークローズ処理にかかる時間の大幅な短縮が可能となる。
【０１３４】
更に、第１実施例では、例えば、Ｌ０層における、ミドルエリア又はリードインエリア等の緩衝用エリア内に、層間ボーダーアウトは記録されることはなく、緩衝用エリアのデータ構造は変更されないので、既存の情報記録再生装置における再生動作を安定させることができる。
【０１３５】
（情報記録再生装置による記録動作の流れ―第２実施例―）
次に、図１６から図１８に加えて図１１を適宜参照して、本発明の情報記録装置の第２実施例に係る情報記録再生装置における光ディスクの記録動作の流れについて詳細に説明する。ここに、図１６は本発明の情報記録装置の第２実施例に係る情報記録再生装置における光ディスクの記録動作の流れを示したフローチャート図である。本発明の情報記録装置の第２実施例の基本構成及び動作及び該情報記録装置の記録対象となる情報記録媒体のデータ構造等は、図１から図１５を参照して説明した第１実施例と概ね同様である。尚、図１６中、「Ｘ」等の変数及び定数は、前述した図１０と同様であり、「Ｎ」は定数である。また、図１６において、第１実施例を示した図１０と同様のステップには同様のステップ番号を付し、それらの説明は適宜省略する。また、図１７は、図１６のステップＳ２０２に対応した、Ｌ０層のデータエリアの空き容量「Ｘ」が「Ｎ」以上且つ「Ｍ」未満である場合のＬ０層及びＬ１層の記録領域を示した図式的概念図である。尚、内外周側の位置関係は図１２と同様である。図１８は、図１６のステップＳ１１０からＳ１１４に対応した、Ｌ０層のデータエリアの空き容量「Ｘ」が「Ｎ」未満である場合に、通常のボーダークローズ処理を、層をまたいで行った時の、Ｌ０層及びＬ１層の記録領域を示した図式的概念図である。尚、内外周側の位置関係は図１２と同様である。
【０１３６】
図１６において、ステップＳ１０１からステップＳ１０８については、前述した図１０で説明した第１実施例と同様である。次に、前述した第１実施例と同様に、ステップＳ１０９の判定の結果、空き容量「Ｘ」が定数「Ｌ」より小さい場合（ステップＳ１０９：Ｎｏ）、更に、空き容量「Ｘ」が定数「Ｍ」（例えば、「Ｍ」＝「４３」ＥＣＣブロック）以上であるか否かが判定される（ステップＳ１１５）。ここで、空き容量「Ｘ」が定数「Ｍ」以上でない場合（ステップＳ１１５：Ｎｏ）、更に、空き容量「Ｘ」が本発明に係る「第３閾値」の一例を構成する定数「Ｎ」（例えば、「５」ＥＣＣブロック）以上で且つ、定数「Ｍ」より小さいか否かが判定される（ステップＳ２０１）。ここで、空き容量「Ｘ」が定数「Ｎ」以上で且つ、定数「Ｍ」より小さい場合（ステップＳ２０１：Ｙｅｓ）、空き容量「Ｘ」が定数「Ｍ」より小さく且つ定数「Ｎ」以上なので、「Ｍ」ＥＣＣブロックの記録容量の層間ボーダーアウト（図１１（ｂ）を参照）がＬ０層のデータエリア及びミドルエリアにおいて記録される。具体的には、図１７で示されるように、Ｌ０層の空き容量「Ｘ」が定数「Ｍ」より小さいので、定数「Ｍ」から空き容量「Ｘ」を引いた容量「Ｍ−Ｘ」ＥＣＣブロックは、Ｌ０層のミドルエリアに食み出して記録され、「Ｘ」ＥＣＣブロックは、データエリアに記録される（ステップＳ２０２）。より具体的には、「Ｎ」ＥＣＣブロックは、データエリアに記録されるのが好ましく、Ｌ０層の空き容量「Ｘ」が定数「Ｎ」と等しい場合、容量「Ｍ−Ｎ」ＥＣＣブロックはミドルエリアに食み出して記録される。尚、食み出した部分のデータ属性はミドルエリアと同じである。
【０１３７】
他方、空き容量「Ｘ」が定数「Ｎ」以上で且つ、定数「Ｍ」より小さくない場合（ステップＳ２０１：Ｎｏ）、空き容量「Ｘ」は、定数「Ｎ」より小さいので、第１実施例と同様にして、通常のボーダークローズ処理であるステップＳ１１０からステップＳ１１４までの処理がなされる。但し、ステップＳ１１１及びステップＳ１１３においては、より具体的には、図１８で示されるように、Ｌ０層の空き容量「Ｘ」が定数「Ｎ」より小さいので、通常のボーダーアウト（図１１（ａ）を参照：Ｌ＝「２９３８」又は「６０２」ＥＣＣブロック）がＬ０層及びＬ１層を跨って記録される。
【０１３８】
以上のように、第２実施例では、例えば、層間ボーダーアウトの構成要素のうち少なくとも最新のＲＭＤ等の記録管理用のデータは、例えば、Ｌ０層のデータエリア内に記録され、例えば、ネクストボーダーマーカー及び緩衝用データは、例えば、Ｌ０層のミドルエリア又はリードアウトエリア等の緩衝用エリアに記録される。このように、少なくとも記録管理用のデータが、Ｌ０層のデータエリア内に記録されることで、情報記録装置によって光ディスクに記録された情報の信頼性を向上させるという利点がある。
【０１３９】
（情報記録再生装置による記録動作の流れ―第３実施例―）
次に図１９及び図２０に加えて図１１を適宜参照して、本発明の情報記録装置の第３実施例に係る情報記録再生装置における光ディスクの記録動作の流れについて詳細に説明する。ここに、図１９は本発明の情報記録装置の第３実施例に係る情報記録再生装置における光ディスクの記録動作の流れを示したフローチャート図である。本発明の情報記録装置の第３実施例の基本構成及び動作及び該情報記録装置の記録対象となる情報記録媒体のデータ構造等は、図１から図１５を参照して説明した第１実施例と概ね同様である。尚、図１９中、「X」等の変数及び定数は、前述した図１０と同様である。また、図１９において、第１実施例を示した図１０と同様のステップには同様のステップ番号を付し、それらの説明は適宜省略する。また、図２０は、図１９のステップＳ３０１に対応した、Ｌ０層のデータエリアの空き容量「Ｘ」が「Ｍ」以上且つ「Ｎ」未満である場合のＬ０層及びＬ１層の記録領域を示した図式的概念図である。尚、内外周側の位置関係は図１２と同様である。
【０１４０】
図１９において、ステップＳ１０１からステップＳ１０８については、前述した図１０で説明した第１実施例と同様である。次に、前述した第１実施例と同様に、ステップＳ１０９の判定の結果、空き容量「Ｘ」が定数「Ｌ」より小さい場合（ステップＳ１０９：Ｎｏ）、更に、空き容量「Ｘ」が定数「Ｍ」（例えば、「Ｍ」＝「４３」ＥＣＣブロック）以上であるか否かが判定される（ステップＳ１１５）。ここで、空き容量「Ｘ」が定数「Ｍ」以上でない場合（ステップＳ１１５：Ｎｏ）、空き容量「Ｘ」が定数「Ｍ」より小さいので、「Ｍ」ＥＣＣブロックの記録容量の層間ボーダーアウト（図１１（ｂ）を参照）がＬ０層のデータエリア及びミドルエリアにおいて記録される。具体的には、図２０で示されるように、Ｌ０層の空き容量「Ｘ」が定数「Ｍ」より小さいので、定数「Ｍ」から空き容量「Ｘ」を引いた容量「Ｍ−Ｘ」ＥＣＣブロックは、Ｌ０層のミドルエリアに食み出して記録され、「Ｘ」ＥＣＣブロックは、データエリアに記録される（ステップＳ３０１）。より具体的には、仮に、Ｌ０層の空き容量「Ｘ」が「０」ＥＣＣブロックと殆ど又は完全に等しい場合、容量「Ｍ」ＥＣＣブロックはミドルエリアに全て食み出して記録される。尚、食み出した部分のデータ属性はミドルエリアと同じである。
【０１４１】
以上のように、第１及び第２実施例を更に改良した第３実施例によれば、例えば、ボーダーアウト等の境界情報が一の記録層及び他の記録層を跨って記録される場合、他の記録層におけるボーダーアウト等の境界情報の緩衝用エリアとしての機能の冗長性を、殆ど又は完全に防止することが可能となる。具体的には、第１及び第２実施例においては、例えば、Ｌ０層のデータエリア内における空き容量が、例えば、層間ボーダーアウト等の第２境界情報の記録容量の最小値、又は、層間ボーダーアウトの構成要素のうち最新のＲＭＤ等の記録管理情報より小さくなると、例えば、「２９３８」又は「６０２」ＥＣＣブロックの最大の記録容量の通常のボーダーアウトを記録しなければならない可能性がある。これに対して、第３実施例によれば、第２境界情報のうち少なくとも最新のＲＭＤ等の記録管理情報以外の情報又は第２境界情報の全てが、Ｌ０層のミドルエリア等の緩衝用エリアに記録されるが、通常のボーダーアウト等の第1境界情報と比べて小さな記録容量の層間ボーダーアウト等の第２境界情報を一の記録層に記録し、他の記録層にはボーダーアウト等の境界情報が記録されるのを殆ど又は完全に防止することで、他の記録層におけるボーダーアウト等の境界情報の緩衝用エリアとしての機能の冗長性を、殆ど又は完全に防止することが可能となる。よって、光ディスクの記録容量の浪費を大幅に防止することができると共に、ボーダークローズ処理にかかる時間の大幅な短縮が可能となる。以上より、最も効率良く無駄なくボーダークローズ処理を行うことが可能となる。
【０１４２】
本実施例では、情報記録装置の一具体例として、例えば、２層型ＤＶＤ−Ｒ等の追記型光ディスクの情報記録再生装置について説明したが、本発明は、例えば、２層型ＤＶＤ−ＲＷ等の書き換え型光ディスクの情報記録再生装置に適用可能である。加えて、例えば、３層型等のマルチプルレイヤ型の光ディスクの情報記録再生装置にも適用可能である。更に、ブルーレーザを記録再生に使用する光ディスクのような大容量記録媒体の情報記録再生装置にも適用可能である。
【０１４３】
本発明は、上述した実施例に限られるものではなく、請求の範囲及び明細書全体から読み取れる発明の要旨或いは思想に反しない範囲で適宜変更可能であり、そのような変更を伴う情報記録装置及び方法もまた本発明の技術的範囲に含まれるものである。
（産業上の利用可能性）
本発明に係る情報記録装置及び方法は、例えば、ＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図面の簡単な説明】
【０１４４】
【図１】本発明の情報記録装置の第１実施例の対象となる情報記録媒体に係る複数の記録領域を有する光ディスクの基本構造を示した概略平面図（図１（ａ））及び、該光ディスクの概略断面図と、これに対応付けられた、その半径方向における記録領域構造の図式的概念図（図１（ｂ））である。
【図２】本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。
【図３】本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのパラレル方式による記録又は再生方法を示した概念的グラフ図である。
【図４】本発明の情報記録装置の第１実施例に係る情報記録再生装置の記録対象となる、例えば、ＤＶＤ−Ｒ等の２層型光ディスクのＬ０層における通常のボーダーゾーンの物理的な記録容量を示したテーブルである。
【図５】本発明の情報記録装置の第１実施例に係る情報記録再生装置の記録対象となる、例えば、ＤＶＤ−Ｒ等の２層型光ディスクのＬ０層における通常のボーダーゾーンの詳細なデータ構造を示したデータ構造図である。
【図６】本発明の情報記録装置の第１実施例に係る情報記録再生装置による、光ディスクの記録領域におけるボーダークローズ処理の手順を４つフェイズで示した図式的概念図である。
【図７】本発明の情報記録装置の第１実施例に係る情報記録再生装置による光ディスクの記録領域における一般的な追記の際の２種類のリンキングにおける手順を示した概念図である。
【図８】本発明の情報記録装置の第１実施例に係る情報記録再生装置の記録対象となる２層型光ディスクにおける層間ボーダーゾーンの詳細なデータ構造の一具体例を示した図式的データ構造図である。
【図９】本発明の情報記録装置に係る第１実施例における情報記録再生装置のブロック図である。
【図１０】本発明の情報記録装置の第１実施例に係る情報記録再生装置における光ディスクの記録動作の流れを示したフローチャート図である。
【図１１】本発明の情報記録装置の第１実施例に係る情報記録再生装置によって記録される通常のボーダーアウトの領域を示した概念図（図１１（ａ））及び、層間ボーダーアウトの領域を示した概念図（図１１（ｂ））である。
【図１２】図１０のステップＳ１１０からＳ１１４に対応した、Ｌ０層のデータエリアの空き容量「Ｘ」が「Ｌ」以上の場合のＬ０層及びＬ１層の記録領域を示した図式的概念図である。
【図１３】図１０のステップＳ１１６からＳ１１９に対応した、Ｌ０層のデータエリアの空き容量「Ｘ」が「Ｍ」以上且つ「Ｌ」未満である場合のＬ０層及びＬ１層の記録領域を示した図式的概念図である。
【図１４】図１０のステップＳ１１０からＳ１１４に対応した、Ｌ０層のデータエリアの空き容量「Ｘ」が「Ｍ」未満である場合に、通常のボーダークローズ処理を、層をまたいで行った時の、Ｌ０層及びＬ１層の記録領域を示した図式的概念図である。
【図１５】図１０のステップＳ１０４ａの判定に基づいて、Ｌ１層における追記とボーダークローズ処理を行った時の、Ｌ０層及びＬ１層の記録領域を示した図式的概念図である。
【図１６】本発明の情報記録装置の第２実施例に係る情報記録再生装置における光ディスクの記録動作の流れを示したフローチャート図である。
【図１７】図１６のステップＳ２０２に対応した、Ｌ０層のデータエリアの空き容量「Ｘ」が「Ｎ」以上且つ「Ｍ」未満である場合のＬ０層及びＬ１層の記録領域を示した図式的概念図である。
【図１８】図１６のステップＳ１１０からＳ１１４に対応した、Ｌ０層のデータエリアの空き容量「Ｘ」が「Ｎ」未満である場合に、通常のボーダークローズ処理を、層をまたいで行った時の、Ｌ０層及びＬ１層の記録領域を示した図式的概念図である。
【図１９】本発明の情報記録装置の第３実施例に係る情報記録再生装置における光ディスクの記録動作の流れを示したフローチャート図である。
【図２０】図１９のステップＳ３０１に対応した、Ｌ０層のデータエリアの空き容量「Ｘ」が「Ｍ」以上且つ「Ｎ」未満である場合のＬ０層及びＬ１層の記録領域を示した図式的概念図である。
【符号の説明】
【０１４５】
１００…光ディスク、１０１−０（１０１−１）…リードインエリア、１０２−０（１０２−１）…データゾーン、１０３−０（１０３−１又は１０３−１ａ）…リードアウトエリア、１０４−０（１０４−１）…ミドルエリア、１０５−０（１０５−１）…ボーダーゾーン、１０５ａ−０（１０５ａ−１）…ボーダーアウト（０．５ｍｍ用）、１０５ｂ−０（１０５ｂ−１）…ボーダーイン、１０５ｃ−０（１０５ｃ−１）…ボーダーアウト（０．１ｍｍ用）、１０５ｄ−０…ボーダーＲＭＤエリア、１０６−０（１０６−１）…ボーダー（ボーダードエリア）、１０７ａ−０…層間ボーダーアウト、３００…情報記録再生装置、３０６…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５…メモリ、ＬＢ…レーザ光
【図１】
2006244680.tif 000003
【図２】
2006244680.tif 000004
【図３】
2006244680.tif 000005
【図４】
2006244680.tif 000006
【図５】
2006244680.tif 000007
【図６】
2006244680.tif 000008
【図７】
2006244680.tif 000009
【図８】
2006244680.tif 000010
【図９】
2006244680.tif 000011
【図１０】
2006244680.tif 000012
【図１１】
2006244680.tif 000013
【図１２】
2006244680.tif 000014
【図１３】
2006244680.tif 000015
【図１４】
2006244680.tif 000016
【図１５】
2006244680.tif 000017
【図１６】
2006244680.tif 000018
【図１７】
2006244680.tif 000019
【図１８】
2006244680.tif 000020
【図１９】
2006244680.tif 000021
【図２０】
2006244680.tif 000022
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
複数の記録層を有する情報記録媒体に対して、記録情報を記録するための情報記録装置であって、
前記記録情報を前記複数の記録層に書込可能な書込手段と、
前記複数の記録層のうち一の記録層に記録された前記記録情報の終端に境界情報を書き込むように前記書込手段を制御する制御手段と、
前記一の記録層におけるデータエリアの空き容量を検出する検出手段と
を備えており、
前記制御手段は、前記検出された空き容量が所定閾値未満である場合、前記境界情報を、（ｉ）前記一の記録層におけるデータエリアの空き領域と、（ｉｉ）当該データエリアの外周側に形成されるミドルエリアと、に跨って書き込むように前記書込手段を制御することを特徴とする情報記録装置。
【請求項２】
前記情報記録媒体は２つの記録層を有し、
前記書込手段は、光入射側の記録層の内周から外周の順に前記記録情報を書き込み、光入射奥側の記録層の外周から内周の順に前記記録情報を書き込むことを特徴とする請求項１に記載の情報記録装置。
【請求項３】
前記一の記録層は、前記光入射側の記録層であることを特徴とする請求項２に記載の情報記録装置。
【請求項４】
複数の記録層を有する情報記録媒体に対して、記録情報を前記複数の記録層に書込可能な書込手段を備えた情報記録装置における情報記録方法であって、
前記複数の記録層のうち一の記録層に記録された前記記録情報の終端に境界情報を書き込むように前記書込手段を制御する制御工程と、
前記一の記録層におけるデータエリアの空き容量を検出する検出工程と
を備えており、
前記制御工程は、前記検出された空き容量が所定閾値未満である場合、前記境界情報を、（ｉ）前記一の記録層におけるデータエリアの空き領域と、（ｉｉ）当該データエリアの外周側に形成されるミドルエリアと、に跨って書き込むように前記書込手段を制御することを特徴とする情報記録方法。
【請求項５】
請求項１に記載の情報記録装置に備えられたコンピュータを制御する記録制御用のコンピュータプログラムであって、該コンピュータを、前記制御手段、前記検出手段及び前記書込手段の少なくとも一部として機能させることを特徴とする記録制御用のコンピュータプログラム。